(57)【要約】      （修正有）【課題】耐久性が損なわれ難い紙製パレットを提供する。【解決手段】物品の載置面となる紙製の天板部１と、天板部１を下側から支持する複数の紙製の脚部２，２，…とを備える紙製パレットであって、天板部１は、上下に間隔をあけて配置された一対の平板１１，１２と、両平板１１，１２の間に配置された天板補強材１３，１３，…と、平板１１，１２の縁部に配置された枠材１４，１４，…とを有し、各枠材１４は、上側の平板１１に接合されるとともに、下側の平板１２に接合されており、各脚部２は、下側の平板１２に接合されている。【選択図】図２
0003181989.tif 000002
【実用新案登録請求の範囲】
【請求項１】
物品の載置面となる紙製の天板部と、
前記天板部を下側から支持する複数の紙製の脚部とを備える紙製パレットであって、
前記天板部は、上下に間隔をあけて配置された一対の平板と、前記両平板の間に配置された天板補強材と、前記両平板の縁部に配置された枠材とを有し、
前記枠材は、上側の前記平板に接合されるとともに、下側の前記平板に接合されており、
前記各脚部は、下側の前記平板に接合されていることを特徴とする紙製パレット。
【請求項２】
前記天板部は、複数の前記天板補強材を有し、
前記各天板補強材は、断面Ｌ字状に成形された板紙、合紙又は段ボールシートからなり、
複数の前記天板補強材は、山部と谷部とが交互に現れるように並設されており、
前記両平板と複数の前記天板補強材によってトラス構造が形成されていることを特徴とする請求項１に記載の紙製パレット。
【請求項３】
前記天板補強材は、蛇腹状に折り曲げられた板紙、合紙又は段ボールシートからなり、
前記両平板と前記天板補強材によってトラス構造が形成されていることを特徴とする請求項１に記載の紙製パレット。
【請求項４】
前記天板部は、前記天板補強材を少なくとも二つ有しており、
少なくとも一つの前記天板補強材は、前記天板部の縦方向に延在する折り目を有し、
残りの前記天板補強材は、前記天板部の横方向に延在する折り目を有することを特徴とする請求項２又は請求項３に記載の紙製パレット。
【請求項５】
前記枠材は、断面Ｌ字形を呈する一対の枠用アングルからなり、
前記両枠用アングルは、断面コ字状となるように組み合わされた状態で互いに接合されており、
一方の前記枠用アングルは、上側の前記平板に接合されており、
他方の前記枠用アングルは、下側の前記平板に接合されていることを特徴とする請求項１乃至請求項４のいずれか一項に記載の紙製パレット。
【請求項６】
前記脚部は、直方体状を呈する箱体と、前記箱体の内部に収容された脚補強材とを有し、
前記脚補強材は、前記箱体の上面部、下面部および四つの側面部に当接していることを特徴とする請求項１乃至請求項５のいずれか一項に記載の紙製パレット。
【請求項７】
前記脚補強材は、断面Ｌ字状を呈する一対の脚用アングルからなり、
前記両脚用アングルは、角筒状に組み合わされた状態で前記箱体の内部に収容されていることを特徴とする請求項６に記載の紙製パレット。
【請求項８】
前記脚部の下側に配置される地板を有し、
前記脚部は、前記地板に接合される複数の下側帯状片と、下側の前記平板に接合される複数の上側帯状片と、前記下側帯状片から前記上側帯状片に至る複数の板状片とを有し、
下側の前記平板と前記地板と前記脚部によってトラス構造が形成されていることを特徴とする請求項１乃至請求項５のいずれか一項に記載の紙製パレット。
【請求項９】
前記脚部は、上下または左右に間隔をあけて配置された一対の帯板と、前記帯板間に配置された蛇腹状の脚本体とを有し、
前記両帯板と前記脚本体によってトラス構造が形成されていることを特徴とする請求項１乃至請求項５のいずれか一項に記載の紙製パレット。
【考案の詳細な説明】
【技術分野】
【０００１】
本考案は、物品を運搬・保管する際に使用される紙製パレットに関する。
【背景技術】
【０００２】
木製、金属製、樹脂製のパレットに代わるものとして、紙製のパレットが知られている（特許文献１〜３参照）。
【０００３】
特許文献１の紙製パレットは、フォークリフトのフォークを二方向から差し込むことができる二方差しタイプのパレットであり、物品の載置面となる天板部と、天板部を下側から支持する複数列の脚桁とを備えている。特許文献１には、天板部の具体例として、合紙等からなる平板の一面にＬ字形あるいはコ字形の天板補強材を組み合わせて形成した天板部のほか、図１１に示すように、逆Ｖ字形の天板補強材１０２を平板１０１の下面に多数並設して形成した天板部が開示されている。この天板部によれば、その全面に亘って天板補強材１０２を配置することができるので、紙製パレットの耐荷重を高めることが可能になる。
【０００４】
また、特許文献２には、一枚の板紙を折り畳んで形成した天板部が開示されており、特許文献３には、一枚の板紙を折り畳んで形成した脚桁が開示されている。
【先行技術文献】
【特許文献】
【０００５】
【特許文献１】特開平８−７２８７６号公報
【特許文献２】特開２００２−３７０７４０号公報
【特許文献３】特許第３２９８８８８号公報
【考案の概要】
【考案が解決しようとする課題】
【０００６】
図１１の紙製パレットでは、天板補強材１０２の下端縁がフォークに線接触することになるので、天板補強材１０２に局所的な潰れが発生する虞がある。天板補強材１０２に潰れが発生すると、パレットの耐久性が損なわれてしまう。
【０００７】
このような観点から、本考案は、耐久性が損なわれ難い紙製パレットを提供することを課題とする。
【課題を解決するための手段】
【０００８】
本考案は、物品の載置面となる紙製の天板部と、前記天板部を下側から支持する複数の紙製の脚部とを備える紙製パレットであって、前記天板部は、上下に間隔をあけて配置された一対の平板と、前記両平板の間に配置された天板補強材と、前記両平板の縁部に配置された枠材とを有し、前記枠材は、上側の前記平板に接合されるとともに、下側の前記平板に接合されており、前記各脚部は、下側の前記平板に接合されていることを特徴とする。
【０００９】
本考案では、天板部をサンドイッチパネル構造（＝上下の平板間に天板補強材を配置した構造）としている。このようにすると、フォークが天板補強材に接触しないので、天板補強材に局所的な応力が発生し難くなり、ひいては、天板補強材に局所的な潰れが発生し難くなる。また、枠材を介して両平板の縁部同士を接合しているので、天板部を構成する各部材が一体となって外力に抵抗するようになり、ひいては、天板部の耐荷重を高めることが可能になる。
【００１０】
断面Ｌ字状に成形された板紙、合紙又は段ボールシートを前記天板補強材とし、複数の前記天板補強材を山部と谷部とが交互に現れるように並設し、前記両平板と複数の前記天板補強材によってトラス構造を形成するとよい。
また、蛇腹状に折り曲げられた板紙、合紙又は段ボールシートを前記天板補強材とし、前記両平板と前記天板補強材によってトラス構造を形成するとよい。トラス構造を形成すると、天板部の曲げ剛性および耐荷重を高めつつ天板部の軽量化を図ることが可能になる。
【００１１】
天板補強材を少なくとも二つ配置する場合には、一の天板補強材と他の天板補強材とで折り目の向きを異ならせるとよい。すなわち、前記天板部の縦方向に延在する折り目を具備した天板補強材と、前記天板部の横方向に延在する折り目を具備した天板補強材とを組み合わせれば、天板部の縦横二方向にトラス構造が形成されるので、曲げ剛性の異方性を改善することが可能になる。
【００１２】
前記枠材の構成に制限はないが、一対の枠用アングル（断面Ｌ字状に成形された板紙、合紙、段ボールシートなど）を断面コ字状となるように組み合わせ、両者を互いに接合したものを前記枠材としてもよい。この場合、一方の前記枠用アングルは、上側の前記平板に接合し、他方の前記枠用アングルは、下側の前記平板に接合する。一対の枠用アングルを断面コ字状となるように組み合わせると、枠用アングルのウェブ同士が重なり合うようになるので、一の板紙等をコ字状に折り曲げて枠材を形成した場合に比べて、枠材の剛性を高めることが可能になる。
【００１３】
前記脚部の構成に制限はないが、例えば、直方体状を呈する箱体と、前記箱体の内部に収容された脚補強材とを有するものを使用してもよい。前記脚補強材は、前記箱体の上面部、下面部および四つの側面部に当接させるとよい。このような脚部によれば、箱体に潰れ（座屈）が生じ難くなるので、紙製パレットの耐荷重を大きくすることが可能になる。
【００１４】
紙管等を前記脚補強材としてもよいが、一対の脚用アングル（断面Ｌ字状に成形された板紙、合紙、段ボールシートなど）を前記脚補強材とし、前記両脚用アングルを角筒状に組み合わせた状態で前記箱体の内部に収容してもよい。このようにすると、紙管等を使用する場合よりも軽くなるとともに、箱体の潰れが生じ難くなる。
【００１５】
紙製パレットが、前記脚部の下側に配置される地板を有している場合には、前記脚部として、前記地板に接合される複数の下側帯状片と、下側の前記平板に接合される複数の上側帯状片と、前記下側帯状片から前記上側帯状片に至る複数の板状片とを具備し、下側の前記平板と前記地板と前記脚部によってトラス構造が形成されるものを使用することができる。このようにすると、脚部の軽量化を図ることが可能になる。
【００１６】
また、前記脚部として、上下または左右に間隔をあけて配置された一対の帯板と、前記帯板間に配置された蛇腹状の脚本体とを具備し、前記両帯板と前記脚本体によってトラス構造が形成されるものを使用してもよい。このようにすると、脚部の耐荷重を高めつつ軽量化を図ることが可能になる。
【考案の効果】
【００１７】
本考案に係る紙製パレットによれば、天板補強材に局所的な潰れが発生し難くなるので、耐久性が損なわれ難くなる。
【図面の簡単な説明】
【００１８】
【図１】本考案の第一の実施形態に係る紙製パレットを示す図であって、（ａ）は斜視図、（ｂ）は側面図である。
【図２】本考案の第一の実施形態に係る紙製パレットの分解斜視図である。
【図３】（ａ）は図１（ｂ）のＸ１−Ｘ１端面図、（ｂ）は図１（ｂ）のＹ１−Ｙ１断面図である。
【図４】本考案の第二の実施形態に係る紙製パレットの分解斜視図である。
【図５】本考案の第三の実施形態に係る紙製パレットを示す図であって、（ａ）は天板部の図示を省略した斜視図、（ｂ）は側面図である。
【図６】図５（ｂ）のＸ３−Ｘ３端面図である。
【図７】本考案の第四の実施形態に係る紙製パレットを示す図であって、（ａ）は天板部の図示を省略した斜視図、（ｂ）は側面図である。
【図８】図７（ｂ）のＹ４−Ｙ４断面図である。
【図９】本考案の第五の実施形態に係る紙製パレットを示す図であって、（ａ）は天板部の図示を省略した斜視図、（ｂ）は側面図である。
【図１０】図９（ｂ）のＹ５−Ｙ５断面図である。
【図１１】従来の紙製パレットを示す斜視図である。
【考案を実施するための形態】
【００１９】
（第一の実施形態）
本考案の第一の実施形態に係る紙製パレットＰ１は、図１の（ａ）および（ｂ）に示すように、フォーク（図示略）を四方向から差し込むことができる四方差しタイプのパレットであり、物品の載置面となる天板部１と、天板部１を下側から支持する複数の脚部２，２，…と、脚部２，２，…の下側に設けられた地板３とを備えている。
【００２０】
天板部１は、紙製の板状体であり、脚部２，２，…の上面に載置されている。図２に示すように、天板部１は、上下に間隔をあけて配置された一対の平板１１，１２と、両平板１１，１２の間に配置された複数の天板補強材１３，１３，…と、平板１１，１２の縁部に配置された枠材１４，１４，…とを備えている。天板部１を構成する各部材は、いずれも紙製である。
【００２１】
平板１１，１２は、平面視矩形状を呈する板紙、合紙又は段ボールシートからなる。平板１１の厚さ、坪量等は、載置される物品の種類や重量等に応じて適宜設定する。
【００２２】
天板補強材１３は、紙製のアングル（断面Ｌ字状に成形された板紙、合紙又は段ボールシート）からなる。天板補強材１３の厚さ、坪量等は、載置される物品の種類や重量等に応じて適宜設定する。折り曲げ角度は、いずれも９０度であるが、適宜変更してもよい。また、二以上の天板補強材１３を重ね合わせてもよい。
【００２３】
天板補強材１３の折り目は、天板部１の横方向（長辺に沿う方向）に延在している。図示は省略するが、天板部１の縦方向（短辺に沿う方向）に折り目が延在するように天板補強材を配置してもよい。
【００２４】
図３の（ａ）に示すように、各天板補強材１３は、逆Ｖ字状に配置されていて、折り目部分（稜線部分）において上側の平板１１の下面に接合され、両側の縁部において下側の平板１２の上面に接合されている。複数の天板補強材１３，１３，…は、山部と谷部とが交互に現れる形状（平板１１，１２に斜交する複数の帯状片をジグザグ状に連ねた形状）となるように均一に並設されており、隣り合う天板補強材１３，１３は、縁部同士が突き合わされている。而して、本実施形態では、平板１１，１２と複数の天板補強材１３，１３，…によって、三角形状の空間と逆三角形状の空間が交互に並ぶワーレントラス構造が形成されている。このトラス構造は、天板部１の短辺方向断面（天板部１の短辺に平行な切断面）に現れるが、三角形状の空間および逆三角形状の空間は、天板部１の長辺方向（図３の（ａ）において紙面垂直方向）に連続している。
【００２５】
枠材１４は、断面コ字状を呈する棒状体であり、天板部１の四辺のそれぞれに配置されている（図２参照）。枠材１４の上面部は、接着剤、粘着テープ、止め金具（ステープル）などの接合手段を利用して上側の平板１１の縁部に接合されている。同様に、枠材１４の下面部は、接着剤、粘着テープ、止め金具（ステープル）などの接合手段を利用して下側の平板１２の縁部に接合されている。最も外側に位置する天板補強材１３の縁部は、枠材１４の内部に入り込んでいて、枠材１４の内隅に当接している。
【００２６】
本実施形態の枠材１４は、図２にも示すように、一対の枠用アングル１４ａ，１４ｂからなる。枠用アングル１４ａ，１４ｂは、断面Ｌ字状に成形された板紙、合紙又は段ボールシートからなる。
【００２７】
一方の枠用アングル１４ａは、上側の平板１１の下面に当接する水平帯状片（フランジ）と、水平帯状片の縁部から下方に向かって垂下する鉛直帯状片（ウェブ）とを具備している。枠用アングル１４ａの水平帯状片は、枠材１４の上面部となる部位であり、上側の平板１１の下面に接合される。
【００２８】
他方の枠用アングル１４ｂは、下側の平板１２の上面に当接する水平帯状片（フランジ）と、水平帯状片の縁部から上方に向かって立ち上がる鉛直帯状片（ウェブ）とを具備している。枠用アングル１４ｂの水平帯状片は、枠材１４の下面部となる部位であり、下側の平板１２の上面に接合される。
【００２９】
枠用アングル１４ａ，１４ｂの鉛直帯状片同士は、重ね合わされており、接着剤、粘着テープ、止め金具（ステープル）などの接合手段を利用して互いに接合されている。すなわち、枠用アングル１４ａ，１４ｂは、断面コ字状となるように組み合わされた状態で互いに接合されている。
【００３０】
脚部２は、紙製の柱状体であり、図２に示すように、地板３の上面に載置されている。隣り合う脚部２，２の間隔は、フォークを挿入可能な大きさに設定されている。本実施形態では、天板部１の四隅、天板部１の四辺の中間部分および天板部１の中央部の合計９箇所に脚部２を点在させているが、脚部２の個数や配置等は適宜変更してもよい。図３の（ａ）に示すように、脚部２の上面部は、下側の平板１２の下面に接合されており、脚部２の下面部は、地板３の上面に接合されている。
【００３１】
本実施形態の脚部２は、図２に示すように、直方体状を呈する箱体２１と、箱体２１の内部に収容された脚補強材２２とを備えている。脚部２を構成する各部材は、いずれも紙製である。
【００３２】
箱体２１は、一対の筒状材２１ａ，２１ｂからなる。筒状材２１ａ，２１ｂは、板紙、合紙又は段ボールシートからなる帯状シートを四箇所で折り曲げ、当該帯状シートの端部同士を重ね合わせつつ接合して形成したものである。
【００３３】
筒状材２１ａ，２１ｂは、いずれも角筒状を呈している。一方の筒状材２１ａは、その中心軸が天板部１と平行になるように配置されており、他方の筒状体２１ｂは、その中心軸が天板部１と垂直になるように配置されている。他方の筒状体２１ｂは、一方の筒状体２１ｂの内部に収容されおており、他方の筒状体２１ｂの上下の開口は、一方の筒状体２１ａの上面部および下面部によって閉塞されている。
【００３４】
脚補強材２２は、上下が開口した角筒状を呈している。図３の（ａ）に示すように、脚補強材２２の上下の端面は、箱体２１（より詳細には、一方の筒状体２１ａ）の上面部および下面部に当接している。また、図３の（ｂ）に示すように、脚補強材２２の四つの側辺部（角部）は、箱体２１（より詳細には、他方の筒状体２１ｂ）の四つの側面部の中央に当接している。
【００３５】
本実施形態の脚補強材２２は、図２に示すように、一対の脚用アングル２２ａ，２２ｂからなる。脚用アングル２２ａ，２２ｂは、断面Ｌ字状に成形された板紙、合紙又は段ボールシートからなり、角筒状に組み合わされた状態（側端部同士が突き合わされた状態）で箱体２１の内部に収容される。脚用アングル２２ａ，２２ｂのそれぞれの折り目部分（稜線部分）および脚用アングル２２ａ，２２ｂの突合せ部分は、角筒の側辺部（角部）となり、箱体２１の側面部に当接する。
【００３６】
地板３は、平面視矩形状を呈する板紙、合紙又は段ボールシートからなる。なお、地板３の形状等は適宜変更してもよい。例えば、地板を帯板状とし、脚部２の列ごとに地板を配置してもよいし、脚部２が載置されない部分を開口させた形状（例えば、田の字状や日の字状）の地板を用いてもよい。また、地板３を省略してもよい。
【００３７】
以上のとおり、本実施形態に係る紙製パレットＰ１では、天板部１をサンドイッチパネル構造（＝上下の平板１１，１２間に天板補強材１３を配置した構造）としている。このようにすると、フォークが天板補強材１３に接触しないので、天板補強材１３に局所的な応力が発生し難くなり、ひいては、天板補強材１３に局所的な潰れが発生し難くなる。
【００３８】
また、枠材１４を介して平板１１，１２の縁部同士を接合しているので、天板部１を構成する各部材が一体となって外力に抵抗するようになり、ひいては、天板部１の強度を高めることが可能になる。
【００３９】
さらに、本実施形態では、Ｌ字状に折れ曲がった板紙、合紙又は段ボールシートを天板補強材１３とし、平板１１，１２と天板補強材１３によってトラス構造を形成しているので、天板部１の曲げ剛性および耐荷重を高めつつ軽量化を図ることが可能になる。
【００４０】
また、本実施形態では、枠材１４として、一対の枠用アングル１４ａ，１４ｂを組み合わせたものを使用しているが、枠用アングル１４ａ，１４ｂの鉛直帯状片（ウェブ）同士を重ね合わせているので、枠材１４の剛性は、一の板紙等をコ字状に折り曲げて枠材を形成した場合に比べて高いものとなる。
【００４１】
本実施形態では、脚部２として、箱体２１と脚補強材２２を組み合わせたものを使用しているが、箱体２１の上面部、下面部および四つの側面部に脚補強材２２を当接させているので、箱体２１に潰れ（座屈）が生じ難くなり、ひいては、紙製パレットＰ１の耐荷重を大きくすることが可能になる。
【００４２】
しかも、脚補強材２２として、脚用アングル２２ａ，２２ｂを角筒状に組み合わせたものを使用しているので、紙管等を使用する場合よりも軽くなるとともに、箱体２１の潰れが生じ難くなる。
【００４３】
なお、本実施形態では、アングルからなる天板補強材１３をその短手方向に複数並設した場合を例示したが、天板補強材の断面形状を限定する趣旨ではない。図示は省略するが、例えば、蛇腹状（ジグザグ状）に折り曲げられた板紙、合紙又は段ボールシートを天板補強材としてもよい。なお、このような天板補強材を製作する場合には、その素となる板紙等に複数の押し罫線を刻設し、当該押し罫線に沿って板紙等を山折り又は谷折りすればよい。
【００４４】
また、本実施形態では、天板部１の四辺のそれぞれに枠材１４を配置した場合を例示したが、適宜変更してもよい。例えば、天板部１の対向する２辺のみに枠材１４を配置してもよいし、天板部１の１辺または３辺のみに枠材１４を配置してもよい。また、本実施形態では、天板部１の各辺の全長に亘って枠材１４を配置した場合を例示したが、各辺の一部に枠材１４を配置してもよい。
【００４５】
本実施形態では、平板１１の下面および平板１２の上面に枠材１４を接合した場合を例示したが、平板１１の上面および平板１２の下面に枠材１４を接合してもよい。また、本実施形態では、断面コ字状の枠材１４を例示したが、適宜変更してもよい。図示は省略するが、例えば、断面ロ字状や横Ｈ字状を呈する枠材を使用してもよい。
【００４６】
（第二の実施形態）
本考案の第二の実施形態に係る紙製パレットＰ２は、図４に示すように、フォーク（図示略）を四方向から差し込むことができる四方差しタイプのパレットであり、物品の載置面となる天板部４と、天板部４を下側から支持する複数の脚部２，２，…と、脚部２，２，…の下側に設けられた地板３とを備えている。脚部２および地板３の構成は、第一の実施形態のものと同様である。
【００４７】
天板部４は、上下に間隔をあけて配置された一対の平板４１，４２と、両平板４１，４２の間に配置された複数（本実施形態では三つ）の第一天板補強材４３Ａ，４３Ａ，４３Ａと、同じく両平板４１，４２の間に配置された複数（本実施形態では二つ）の第二天板補強材４３Ｂ，４３Ｂと、平板４１，４２の縁部に配置された枠材４４，４４，…とを備えている。すなわち、本実施形態の天板部４は、二種類の天板補強材４３Ａ，４３Ｂを具備している。なお、平板部４１，４２および枠材４４の構成は、それぞれ第一の実施形態の平板部１１，１２および枠材１４と同様である。
【００４８】
第一天板補強材４３Ａは、天板部４の横方向に間隔をあけて複数並設されており、第二天板補強材４３Ｂは、隣り合う第一天板補強材４３Ａ，４３Ａの間に配置されている。第一天板補強材４３Ａの下方には、複数の脚部２，２，２が配置されているが、第二天板補強材４３Ｂの下方には、脚部２が配置されていない。
【００４９】
第一天板補強材４３Ａは、蛇腹状に折り曲げられた板紙、合紙又は段ボールシートからなり、その折り目部分において平板４１，４２に接合される。第一天板部補強材４３Ａの折り目は、天板部４の縦方向（短辺に沿う方向）に延在している。第一天板補強材４３Ａを上面視した場合、第一天板補強材４３Ａの長手方向の長さ寸法（＝折り目に沿う方向の長さ寸法）は、天板部４の短辺の長さ寸法と同等であり、第一天板補強材４３Ａの短手方向の長さ寸法は、脚部２の幅寸法よりも大きい。
【００５０】
第二天板補強材４３Ｂは、蛇腹状に折り曲げられた板紙、合紙又は段ボールシートからなり、その折り目部分において平板４１，４２に接合される。第二天板部補強材４３Ｂの折り目は、天板部４の横方向（長辺に沿う方向）に延在している。第二天板補強材４３Ｂを上面視した場合、第二天板補強材４３Ｂの長手方向の長さ寸法は、天板部４の短辺の長さ寸法と同等であり、第二天板補強材４３Ｂの短手方向の長さ寸法（＝折り目に沿う方向の長さ寸法）は、天板部４の長辺方向に隣り合う脚部２，２の離間距離よりも小さい。
【００５１】
本実施形態では、平板４１，４２、第一天板補強材４３Ａおよび第二天板補強材４３Ｂによって、ワーレントラス構造が二方向に形成される。すなわち、平板４１，４２と第一天板補強材４３Ａによって、三角形状あるいは逆三角形状の空間が天板部４の短辺方向に連続するワーレントラス構造が形成され、平板４１，４２と第二天板補強材４３Ｂによって、三角形状あるいは逆三角形状の空間が天板部４の長手方向に連続するワーレントラス構造が形成される。
【００５２】
以上のとおり、本実施形態に係る紙製パレットＰ２によれば、天板部４の縦横二方向にトラス構造が形成されるようになるので、曲げ剛性の異方性を改善することが可能になる。この他の作用効果は、第一の実施形態のものと同様である。
【００５３】
なお、図示は省略するが、蛇腹状の第一天板補強材４３Ａに代えて、アングル（断面Ｌ字状に成形された板紙、合紙又は段ボールシート）からなる第一天板補強材を複数並設してもよい。また、蛇腹状の第二天板補強材４３Ｂに代えて、アングルからなる第二天板補強材を複数並設してもよい。
【００５４】
（第三の実施形態）
本考案の第三の実施形態に係る紙製パレットＰ３は、図５の（ａ）に示すように、フォーク（図示略）を二方向から差し込むことができる二方差しタイプのパレットであり、天板部１と、天板部１を下側から支持する複数の脚部５，５，…と、脚部５，５，…の下側に設けられた地板３とを備えている。天板部１および地板３の構成は、第一の実施形態のものと同様である。
【００５５】
なお、第三の実施形態においては、フォークの挿入方向を前後方向（本実施形態では、天板部１の短辺に沿う方向）とし、フォークの挿入方向に直交する方向（本実施形態では、天板部１の長辺に沿う方向）を左右方向とする。
【００５６】
脚部５は、図５の（ｂ）にも示すように、天板部１と地板３との間に介設されるものであり、天板部１の左右方向（長辺に沿う方向）に間隔をあけて複数並設されている。隣り合う脚部５，５の間隔は、フォークを挿入可能な大きさに設定されている。本実施形態の脚部５は、蛇腹状に折り曲げられた板紙、合紙又は段ボールシートからなる。脚部５の折り目は、左右方向に延在している。脚部５を上面視した場合、脚部５の長手方向の長さ寸法は、天板部１の短辺の長さ寸法と同等である。なお、図示は省略するが、二以上の脚部５を重ね合わせてもよい。
【００５７】
脚部５は、地板３に接合される複数の下側帯状片５１，５１，…と、天板部１に接合される複数の上側帯状片５２，５２，…と、下側帯状片５１から上側帯状片５２に至る複数の板状片５３，５３，…とを備えている。
【００５８】
下側帯状片５１および上側帯状片５２は、いずれも、折り目の延在方向（左右方向）を長手方向とする長方形状を呈している。図６にも示すように、下側帯状片５１は、地板３の上面に載置されており、接着剤、粘着テープ、止め金具（ステープル）などの接合手段を利用して地板３に接合されている。上側帯状片５２は、下側の天板１２の下面に当接しており、接着材等の接合手段を利用して天板１２に接合されている。
【００５９】
脚部５の端部においては、下側帯状片５１および上側帯状片５２が対向するとともに、下側帯状片５１から上側帯状片５２に向かって板状片５３が垂直に立ち上がっている。すなわち、脚部５の端部には、下側帯状片５１、上側帯状片５２および板状片５３によって側面視コ字状の天板支持部が形成されている。なお、当該天板支持部は、枠材１４の下方に位置している。
【００６０】
脚部５の端部以外においては、上側帯状片５２が下側帯状片５１の斜め上方に位置するとともに、板状片５３が下側帯状片５１から上側帯状片５２に向かって斜め上方に立ち上がっている。すなわち、脚部５の端部以外においては、下側帯状片５１の両側に板状片５３，５３が連なることによって側面視逆台形状の天板支持部が形成されるとともに、上側帯状片５２の両側に板状片５３，５３が連なることによって側面視台形状の天板支持部が形成されている。
【００６１】
このように、本実施形態では、下側の平板１２と地板３と脚部５によって、側面視台形状の空間と側面視逆台形状の空間が交互に並ぶ態様のトラス構造が形成されている。台形状の空間および逆台形状の空間は、左右方向に延在している。
【００６２】
本実施形態に係る紙製パレットＰ３によれば、第一の実施形態のものと同様の作用効果を奏するとともに、脚部５の構成が板紙等を折り曲げただけのシンプルな構成である故、脚部５の軽量化を図ることができる。また、脚部５の構成がシンプルでありながらも、下側の平板１２および地板３とともにトラス構造が形成されるので、脚部５に潰れが生じ難くなり、ひいては、紙製パレットＰ４の耐荷重を高めることが可能になる。
【００６３】
さらに、脚部５は、地板３に面接触する下側帯状片５１と下側の平板１２に面接触する上側帯状片５２を具備しているので、線接触させる場合よりも大きな接着面積をもって天板部１および地板３に接合することができ、したがって、天板部１、地板３および脚部５を強固に一体化することが可能になる。
【００６４】
（第四の実施形態）
本考案の第四の実施形態に係る紙製パレットＰ４は、図７の（ａ）に示すように、フォーク（図示略）を二方向から差し込むことができる二方差しタイプのパレットであり、天板部１と、天板部１を下側から支持する複数の脚部６，６，…と、脚部６，６，…の下側に設けられた地板３とを備えている。
【００６５】
天板部１および地板３の構成は、第一の実施形態のものと同様である。なお、第四の実施形態においては、フォークの挿入方向を前後方向（本実施形態では、天板部１の短辺に沿う方向）とし、フォークの挿入方向に直交する方向（本実施形態では、天板部１の長辺に沿う方向）を左右方向とする。
【００６６】
脚部６は、天板部１と地板３との間に介設されるものであり、天板部１の左右方向に間隔をあけて複数並設されている。左右に隣り合う脚部６，６の間隔は、フォークを挿入可能な大きさに設定されている。
【００６７】
本実施形態の脚部６は、左右に間隔をあけて配置された一対の帯板６１，６２と、帯板６１，６２の間に配置された蛇腹状の脚本体６３とを備えている。図７の（ｂ）にも示すように、帯板６１，６２および脚本体６３の高さ寸法は同一である。帯板６１，６２および脚本体６３の上縁は、天板部１に当接しており、帯板６１，６２および脚本体６３の下縁は、地板３に当接している。このようにすると、天板部１からの荷重が帯板６１，６２および脚本体６３に分散して作用するようになる。
【００６８】
帯板６１，６２は、板紙、合紙又は段ボールシートからなる。帯板６１，６２は、天板部１および地板３に直交するように配置されている。
【００６９】
脚本体６３は、蛇腹状に折り曲げられた板紙、合紙又は段ボールシートからなる。脚本体６３は、天板部１および地板３に直交するように配置されており、脚本体６３の折り目は、上下方向に延在している。なお、図示は省略するが、二以上の脚本体６３を重ね合わせてもよい。
【００７０】
図８に示すように、脚本体６３は、一方の帯板６１に接合される複数の第一帯状片６３ａ，６３ａ，…と、他方の帯板６２に接合される複数の第二帯状片６３ｂ，６３ｂ，…と、第一帯状片６３ａから第二帯状片６３ｂに至る複数の板状片６３ｃ，６３ｃ，…とを備えている。
【００７１】
第一帯状片６３ａおよび第二帯状片６３ｂは、いずれも、折り目の延在方向（上下方向）を長手方向とする長方形状を呈していて、接着剤、粘着テープ、止め金具（ステープル）などの接合手段を利用して帯板６１，６２に接合されている。
【００７２】
脚部６の端部には、第一帯状片６３ａ、第二帯状片６３ｂおよび板状片６３ｃによって上面視コ字状の天板支持部が形成されている。すなわち、脚部６の端部においては、第一帯状片６３ａおよび第二帯状片６３ｂが左右に間隔をあけて対向し、板状片６３ｃが第一帯状片６３ａおよび第二帯状片６３ｂに直交している。
【００７３】
脚部６の端部以外においては、第一帯状片６３ａが第二帯状片６３ｂの斜め前方または斜め後方に位置するとともに、板状片６３ｃが帯板６１，６２に斜交している。すなわち、脚部６の端部以外においては、第一帯状片６３ａの前後両側に板状片６３ｃ，６３ｃが連なることによって上面視台形状の天板支持部が形成されており、さらに、第二帯状片６３ｂの両側に板状片６３ｃ，６３ｃが連なることによって上面視台形状の天板支持部が形成されている。
【００７４】
このように、本実施形態では、左右の帯板６１，６２と脚本体６３によって、台形状の空間と逆台形状の空間が交互に並ぶ態様のトラス構造が形成されている。台形状の空間および逆台形状の空間は、上下方向に延在している。トラス構造の構成要素である帯板６１，６２および脚本体６３は、互いに接合されているので、各々に生じる変形（座屈、倒れ、孕みだし等）を抑制し合うようになる。
【００７５】
本実施形態に係る紙製パレットＰ４によれば、第一の実施形態のものと同様の作用効果を奏するとともに、脚本体６３の構成が板紙等を折り曲げただけのシンプルな構成になるので、脚部６の軽量化を図ることが可能になる。
【００７６】
また、天板部１からの荷重が帯板６１，６２および脚本体６３に分散して作用するとともに、帯板６１，６２および脚本体６３が各々に生じる変形（座屈、倒れ、孕みだし等）を抑制し合うので、脚部６の耐荷重が高いものとなる。
【００７７】
なお、本実施形態では、脚部６のトラス構造が水平断面に現れる場合を例示したが、鉛直断面にトラス構造が現れるように脚部６を配置してもよい。この場合には、帯板６１，６２が上下に間隔をあけて対向することになるので、帯板６１，６２の一方を天板部１に接合し、他方を地板３に接合すればよい。
【００７８】
（第五の実施形態）
本考案の第五の実施形態に係る紙製パレットＰ５は、図９の（ａ）に示すように、フォーク（図示略）を二方向から差し込むことができる二方差しタイプのパレットであり、天板部１と、天板部１を下側から支持する複数の脚部７，７，…と、脚部７，７，…の下側に設けられた地板３とを備えている。天板部１および地板３の構成は、第一の実施形態のものと同様である。
【００７９】
脚部７は、天板部１と地板３との間に介設されるものであり、天板部１の左右方向に間隔をあけて複数並設されている。左右に隣り合う脚部７，７の間隔は、フォークを挿入可能な大きさに設定されている。
【００８０】
本実施形態の脚部７は、左右に間隔をあけて配置された一対の帯板７１，７２と、帯板７１，７２の間に配置された蛇腹状の脚本体７３と、帯板７１，７２の端部に配置されたエンド材７４とを備えている。エンド材７４の高さ寸法は、帯板７１，７２および脚本体７３の高さ寸法と同一である。なお、帯板７１，７２の構成は、第四の実施形態の帯板６１，６２と同様である。
【００８１】
脚本体７３は、蛇腹状に折り曲げられた板紙、合紙又は段ボールシートからなる。脚本体７３の折り目は、上下方向に延在している。本実施形態の脚本体７３は、第四の実施形態の脚本体６３とは異なり、山折り部分と谷折り部分とが交互に現れる形状（帯板７１，７２に斜交する複数の板状片をジグザグ状に連ねた形状）を具備していて、折り目部分（稜線部分）において帯板７１，７２に接合されている。なお、図示は省略するが、二以上の脚本体７３を重ね合わせてもよい。
【００８２】
エンド材７４は、帯板７１，７２を連結するものであり、脚部７の両端部のそれぞれにおいて帯板７１，７２の間に介設されている。エンド材７４も板紙、合紙又は段ボールシートからなる。図９の（ｂ）に示すように、エンド材７４の上縁は、天板部１に当接しており、エンド材７４の下縁は、地板３に当接しているので、エンド材７４は、天板部１からの荷重を支持する天板支持部として機能する。
【００８３】
図１０に示すように、エンド材７４は、一方の帯板７１の端部に接合される第一接合片７４ａと、他方の帯板７２の端部に接合される第二接合片７４ｂと、第一接合片７４ａから第二接合片７４ｂに至る連結片７４ｃとを備えている。
【００８４】
第一接合片７４ａは、折り目の延在方向（上下方向）を長手方向とする長方形状を呈していて、接着剤、粘着テープ、止め金具（ステープル）などの接合手段を利用して帯板７１に接合されている。
【００８５】
第二接合片７４ｂは、第一接合片７４ａよりも面積の大きい長方形状を呈していて、接着剤、粘着テープ、止め金具（ステープル）などの接合手段を利用して帯板７２に接合されている。
【００８６】
連結片７４ｃは、第一接合片７４ａおよび第二接合片７４ｂに直交している。第二接合片７４ｂと連結片７４ｃとが交わって形成された内隅には、脚本体７３の端部が当接している。
【００８７】
本実施形態では、左右の帯板７１，７２と脚本体７３によって、三角形状の空間と逆三角形状の空間が交互に並ぶワーレントラス構造が形成されている。三角形状の空間および逆三角形状の空間は、上下方向に延在している。ワーレントラス構造の構成要素である帯板７１，７２および脚本体７３は、互いに接合されているので、各々に生じる変形（座屈、倒れ、孕みだし等）を抑制し合うようになる。
【００８８】
本実施形態に係る紙製パレットＰ５によれば、第一の実施形態のものと同様の作用効果を奏するとともに、脚本体７３の構成が板紙等を折り曲げただけのシンプルな構成になるので、脚部７の軽量化を図ることが可能になる。
【００８９】
また、天板部１からの荷重が帯板７１，７２、脚本体７３およびエンド材７４に分散して作用するとともに、帯板７１，７２および脚本体７３が各々に生じる変形（座屈、倒れ、孕みだし等）を抑制し合うので、脚部７の耐荷重が高いものとなる。
【００９０】
なお、本実施形態では、脚部７のトラス構造が水平断面に現れる場合を例示したが、鉛直断面にトラス構造が現れるように脚部７を配置してもよい。この場合には、帯板７１，７２が上下に間隔をあけて対向することになるので、帯板７１，７２の一方を天板部１に接合し、他方を地板３に接合すればよい。
【符号の説明】
【００９１】
Ｐ１    紙製パレット
１    天板部
１１，１２  平板
１３  天板補強材
１４  枠材
１４ａ，１４ｂ  枠用アングル
２    脚部
２１  箱体
２２  脚補強材
２２ａ，２２ｂ  脚用アングル
３    地板
【００９２】
Ｐ２  紙製パレット
４    天板部
４１，４２  平板
４３Ａ  第一天板補強材
４３Ｂ  第二天板補強材
４４  枠材
４４ａ，４４ｂ  枠用アングル
【００９３】
Ｐ３  紙製パレット
５    脚部
【００９４】
Ｐ４  紙製パレット
６    脚部
６１，６２  帯板
６３  脚本体
【００９５】
Ｐ５  紙製パレット
７    脚部
７１，７２  帯板
７３  脚本体
【図１】
0003181989.tif 000003
【図２】
0003181989.tif 000004
【図３】
0003181989.tif 000005
【図４】
0003181989.tif 000006
【図５】
0003181989.tif 000007
【図６】
0003181989.tif 000008
【図７】
0003181989.tif 000009
【図８】
0003181989.tif 000010
【図９】
0003181989.tif 000011
【図１０】
0003181989.tif 000012
【図１１】
0003181989.tif 000013